(57)【要約】  【課題】  従来は、会話時、メール入力時以外は用途がなく、ポケットの中に折り畳んだ状態で入れておくなど場所を塞ぎ、少なからず邪魔となる感は免れないものであり、また形状も各社類似していて、店頭での訴求力も乏しかった。  【解決手段】  携帯電話機１において、略同一径とした２枚の円板状部２、３と、略円筒状の支柱部４ａの両端に先端にヒンジ４ｃが設けられた板状部材４ｂが取付けられて略コ字状に形成された蝶番部４とから成り、２枚の円板状部はそれぞれが外周の近傍でヒンジを介して接合されて一体化され、折り畳んだときの形状が支柱部により支持され適宜な間隔を有し平行に重なる２枚の円板状部を成す形状とされ、使用時の形状が、前記２枚の円板状部が支柱部を含む蝶番部により伸展して支持され、２枚の円板状部が略同一平面上に並ぶ形状となる携帯電話機とすることで斬新なデザインとし課題を解決する。【選択図】  図３
2006020280.tif 000002
【特許請求の範囲】
【請求項１】
携帯時には折り畳み可能な構成とされて成る携帯電話機において、前記携帯電話機は、内部に部品を収納するための適宜の容積を有する大きさとし略同一径とした２枚の円板状部と、略円筒状の支柱部の両端に先端にヒンジが設けられた板状部材が同一方向に向かい取付けられて略コ字状に形成された蝶番部とから成り、前記２枚の円板状部はそれぞれが外周の近傍で前記ヒンジを介して接合されて一体化され、折り畳んだときの形状が、適宜な平行の間隔を有して重なる位置となる２枚の円板状部を中心で略円筒状の支柱部が内側から支持する形状とされ、使用時の形状が、前記２枚の円板状部が前記支柱部を含む蝶番部により伸展して支持され、２枚の円板状部が略同一平面上に並ぶ形状となることを特徴とする携帯電話機。
【請求項２】
携帯電話において、前記携帯電話機の外殻は、内部に部品を収納するための適宜の容積を有する大きさとし略同一径とした２枚の円板状部と、略円筒状とした接合部とから成り、前記接合部は前記２枚の円板状部を内側の中心で２枚を平行として一体に固定した形状とされていることを特徴とする携帯電話。
【請求項３】
使用状態において、２枚の円板状部の一方には少なくとも液晶表示器及び受話器が設けられ、他の一方には少なくとも番号入力部と送話器とが設けられていることを特徴とする請求項１記載の携帯電話機。
【請求項４】
前記他の一方に設けられる番号入力部がダイヤル回転式であることを特徴とする請求項１又は請求項２記載の携帯電話機。
【発明の詳細な説明】
【技術分野】
【０００１】
本発明は、携帯電話機に関するものであり、詳細には使用しない状態では折り畳み可能とされていている携帯電話機の構成に係り、更には、折り畳んだときの形状に特異な形状を与えることで、折り畳んだ状態でも遊具などとして使用可能な機能を与えることを可能とする構成に係るものである。
【背景技術】
【０００２】
従来の折り畳み式携帯電話機の構成としては、上部筐体と下部筐体とをヒンジ部により開閉を自在とするように連結しておく。加えて、前記上部筐体と下部筐体との内部の対峙する位置には１対の磁石が配置され、この１対の磁石の吸引力で上部筐体と下部筐体とは閉止状態を保つものとされている。
【０００３】
また、前記下部筐体の側面には前記１対の磁石の一方を移動させるレバーと、このレバーに連動する連結具が設けられ、前記レバーを所定方向に移動させることで前記一方の磁石が移動し、上部筐体と下部筐体とは折り畳み状態から展開状態へ解放駆動されるものとなる。
【０００４】
同時に、前記レバーに連動する連結具は、レバーを操作したときの進行方向に設けられた押圧スイッチを投入し、この携帯電話機をオフフック状態とするものが知られている。
【特許文献１】特開平０８−００９００４号公報
【発明の開示】
【発明が解決しようとする課題】
【０００５】
しかしながら、前記した従来の構成の携帯電話機においては、折り畳み状態とするのは、例えば、Ｙシャツのポケットにいれて持ち歩くことができるようにするなど、専らに、小型化のみが目的であり、このように、小型化が行われた状態では、例えば、受信時の呼び出し音の発声などは可能であるが、このような一部の機能を除いては大部分の機能が使用不可の状態となっている。
【０００６】
また、折り畳んだときの形状では持ち運びが行い難い形状となりがちであり、例えばストラップを付けてぶら下げて持ち歩く、ポケット、ハンドバックなどに収納して持ち歩くなどせざるを得ず。何れにしても、電話として使用していない大部分の時間帯においては、有効な使用方法は認められないものであった。
【０００７】
また、前記携帯電話機は製造メーカーが異なっても、或いは、電話会社が異なっても、携帯電話機としての形状は、ほとんど同じような形状で商品デザインとしての特徴が少なく、店頭に各社のものが多数展示されたときには、それぞれを見分けるのも困難なほど個性差が少なく、訴求力に欠けるという問題点も生じていた。
【課題を解決するための手段】
【０００８】
本発明は、上記した従来の課題を解決するための具体的な手段として、携帯時には折り畳み可能な構成とされて成る携帯電話機において、前記携帯電話機は、内部に部品を収納するための適宜の容積を有する大きさとし略同一径とした２枚の円板状部と、略円筒状の支柱部の両端の先端にヒンジが設けられた板状部材が同一方向に向かい取付けられて略コ字状に形成された蝶番部とから成り、前記２枚の円板状部はそれぞれが外周の近傍で前記ヒンジを介して接合されて一体化され、折り畳んだときの形状が、適宜な平行の間隔を有して重なる位置となる２枚の円板状部を中心で略円筒状の支柱部が内側から支持する形状とされ、使用時の形状が、前記２枚の円板状部が前記支柱部を含む蝶番部により伸展して支持され、２枚の円板状部が略同一平面上に並ぶ形状となることを特徴とする携帯電話機を提供することで、折り畳み時には遊具として使用することも可能として、課題を解決するものである。
【発明の効果】
【０００９】
携帯電話機の折り畳んだときの形状を、２枚の円板状部材が、適宜な間隔を有して円筒状の支柱部により中心で支持されている形状としたことで、この支柱部を中心として、円周方向に形状的にも重量的にもバランスの良い状態となる。従って、前記支柱部を中心として回転を行わせれば独楽状の動作を行うのとなり、簡便な遊具としての用途が得られるものとなる。また、折り畳んだときにも、使用状態としたときにもデザイン的に、特徴のあるものとして店頭に展示したときの他の商品との識別を容易として、訴求力を増すものとする。
【発明を実施するための最良の形態】
【００１０】
つぎに、本発明を図に示す実施形態に基づいて詳細に説明する。図１に符号１で示すものは、使用状態で示す本発明に係る携帯電話機であり、この携帯電話機１の外装は、内部に適宜な空間を有する円板状とした第一円板状部２と、前記第一円板状部２とはほぼ同一形状で且つほぼ同一の外形寸法とされた第二円板状部３と、第一円板状部２と第二円板状部３とを接続する蝶番部４とから形成されている。
【００１１】
ここで、前記蝶番部４について、更に詳細に説明を行えば、この蝶番部４は図２に示すように、適宜な高さと径の円筒状として形成された支柱部４ａの高さ方向の両端には、先端側にヒンジ４ｃが設けられた板状部材４ｂが同一方向に向けて取付けられ、全体形状としては略コ字状とされている。
【００１２】
そして、前記蝶番部４の一方のヒンジ４ｃと前記第一円板状部２とが、この第一円板状部２の外周の近傍で所定の角度の範囲において回動自在とするように接合され、同じく蝶番部４の他方のヒンジ４ｃと第二円板状部３がと、第一円板状部２と同様に外周の近傍で所定の角度の範囲において回動自在とするように接合されている。
【００１３】
ここで、前記ヒンジ４ｃは、それぞれが、反対方向へ約９０°の回転を行えるものとして形成されている。また、後にも説明するが、第一円板状部２と第二円板状部３との間には電気信号の送受が必要となるものであるので、前記ヒンジ４ｃの部分には、第一円板状部２、または、第二円板状部３との間に、フレキシブルワイヤ、フラットワイヤ５などと称されている、複数の線を平行に並べたようなプリント回路などで配線が行われるのが通常である。
【００１４】
このときに、前記ヒンジ４ｃは、上記の角度範囲で折り曲げにが繰り返された時にも、容易に前記したフレキシブルワイヤ、フラットワイヤ５に断線を生じないような構成としておき、携帯電話機１自体の信頼性を損なうことのないようにしておく。また、前記ヒンジ４ｃと共に、蝶番部４を構成する板状部材４ｂ、支柱部４ａは、前記フラットワイヤ５を通過、若しくは、保持するのに適宜な形状とされている。
【００１５】
そして、前記第一円板状部２には、例えば、液晶などによる表示部６と、受話器７が取付けられ、第二円板状部３には番号入力部である押釦８と、送話器９が取付けられれば、図１に示すように、現在、市場で通常に使用されている携帯電話機と比べて使用時などに、それ程に違和感を生じさせない形状が得られるものとなる。尚、第一円板状部２、第二円板状部３の内部には電子回路、電池（何れも図示せず）などが収納されているものであることは云うまでもない。
【００１６】
図３は以上に説明した使用状態とした携帯電話機１を、折り畳んだときの形状を示すものであり、使用状態では、ほぼ同一平面に並んでいる前記第一円板状部２と第二円板状部３とを前側から押すことで、両円板状部２、３共に後側に倒れ、その結果、前記両円板状部２、３のそれぞれが板状部材４ｂに当接することで停止し、それ以上には倒れないものとなる。
【００１７】
この状態が、本発明における折り畳んだときの形状であり、即ち、図３でも明らかなように、径を揃えて平行とした２枚の円板（第一円板状部２、第二円板状部３）の中心を円筒（蝶番部４の支柱部４ａ）で接続した形状となっている。そして、本発明の携帯電話機１では、押釦８ａ、表示部６が外側に位置して、常時に見えるのでも押釦８ａを利用して発信も可能であり、また、表示部６でメールなどを読むなども自在であり、折り畳み時での用途も拡大する。
【００１８】
また、このときには、前記板状部材４ｂは２枚の円板の裏面の表面と面一となるようにされており、また、フラットワイヤ５も前記板状部材４ｂから露出しないものとされており、従って、２枚の円板の間には極端な凹凸などは生じていない。そこで、上記に説明した折り畳んだ形状では、前記携帯電話機１は、前記支柱部４ａを中心とする点対称形状であり、よって、支柱部４ａを中心として回転を行わせれば、バランスが良くスムーズに回転が持続しやすい形状となる。よって、前記支柱部４ａに紐（ストリング）１０などを巻き付けた状態で、紐１０の一端点を保持し、携帯電話機１の本体（第一円板状部２、第二円板状部３、蝶番部４）を落下させると、紐１０がほどけるにつれて回転数が増し、回転エネルギーが蓄積される、いわゆる、フライホイール効果が得られるものとなる。
【００１９】
そして、紐１０が全て解けた時点では、本体が有する回転エネルギーは大きなものとなり、今度はその回転エネルギーで前記紐１０を支柱部４ａに巻き付けながら、本体が自身を上昇してくるものとなり、あと、タイミングを合わせてほんの少々の力を紐１０の端部から加えることで、本体の上昇と下降とを継続させることができるものとなり、図４に示すように、いわゆる、ヨーヨー（Ｙｏ−Ｙｏ）として遊ぶこともできるものとなる。
【００２０】
即ち、本発明によれば、展開時は通常の携帯電話機１として使用できるものであり、折り畳み時には、紐（ストリングとも称する）１０を用意することで、ヨーヨーとして、言い換えれば遊具として使用できるものとなり、常時に携帯している機器としては用途と使用時間が延長でき、例えば価格に対する有効性が増やせるものとなる。また、上記にも説明したように、折り畳んだ状態でも一部の機能が使用可能となるなど、携帯電話機１としての機能の向上している。
【００２１】
また、この種の携帯電話機に対する、実際の市場における販売価格の実情を見ると、製造原価に応じて売価が決定されるだけではなく、後の通話料収入も考慮して、売価が決定される場合もあり、また、携帯電話会社間でのシェアーを拡大し、その結果として通話料収入を拡大するというように、営業戦略的な要素により販売価格が決定されるケースが多い。
【００２２】
よって、１社が画期的な販売方法、例えば、月額使用料で携帯電話機１の価格も回収するなどの手段で、店頭での定価を１円で販売する手法を考案し実施すると、その社のシェアーが拡大したり、或いは、斬新なデザインの電話機を開発すると、その社のシェアーが拡大するなどは、度々生じることであり、その点で、携帯電話機の用途に新たな用途を加えた本発明の携帯電話機１は画期的であり、上記と同様にシェアー拡大の可能性を持つものとなる。
【００２３】
また、携帯電話機１は、近年の交通機関に発達などによる生活範囲の広域化、或いは、学校の授業の終了後に塾へ通う子供の増加などの社会情勢により、例えば小学生など低年齢層においても携帯電話機１を所持する割合は増加しており、本発明のように遊具を兼ねるものとすることで、低年齢層に対しても違和感を生じさせることなく、携帯させることも可能となる。
【００２４】
図５に示すものは本発明の別の実施形態であり、上記でも説明したように本発明の携帯電話機１では基本的に２つの円板状部２、３の使用がデザインの基準となっている。よって、この別の実施形態では、上記の円板形状３に設けられていることを更に有効にデザインに採り入れることを図ると共に、懐古趣味も採り入れ、更なるオリジナリティに溢れる携帯電話機１を提供可能とするものである。
【００２５】
即ち、この別の実施形態では、他の一方の円板状部４に設けられる番号入力部８を押釦８ａに換えて、旧来、４号電話機などと称されていた卓上電話機に使用されていた番号入力装置に類似した形状としたダイヤル８ｂとしてある。尚、ダイヤル８ｂは形状のみを類似させ実際には円形に並べた押釦８ａを押すものとしても良いが、動作も類似させ、ダイヤル８ｂを回転させて番号を入力するものとすれば、一層に懐古的なものとすることができる。
【００２６】
或いは、ダイヤル８ｂの中心など適宜位置に切換えレバーなどを配置し、釦操作とダイヤル操作とを切換え可能としておけば、メールの入力時など文字入力時には、より迅速な釦入力が行え、相手を呼び出すときにはダイヤルを回転させて行えるようにすれば、懐古趣味が味わえるなど、様々な使用方法が楽しめるものとなる。
【００２７】
尚、この別な実施形態では、携帯電話機１自体が、既に、斬新な従来にない形状をしているので、特に使用時（ダイヤル操作時）には注目度は充分に高いものが得られると思われるので、実際の市場への供給に当たっては、蝶番部４を省略し、第一円板部２と第二円板部３とを単にヒンジで連結した形状とした場合でも充分な斬新性、話題性を有するものとなると信じられる。
【００２８】
図６に示すものは、本発明に係る携帯電話機の更に別の実施形態であり、近年では電子機器の小型化が一層に進み、この種の携帯電話機においても、従来に比べて一段と小型化されたものが市場に供給されている。従って、特殊の形態とした本発明の携帯電話機１においても、上記で説明したように、第一円板状部２と第二円板状部３とを蝶番部４で接合を行い折り畳みが行える構造としなくとも、充分に携帯が可能である大きさ、厚さとして形成することが可能である。
【００２９】
よって、この、更に別の実施形態においては、第一円板状部２と第二円板状部３とを略円筒状とした支柱部１１で接合し固定するものであり、このようにすることで、構成も単純化し強度も増すものとなって、信頼性、耐久性の向上にも有効である。
【００３０】
尚、図６にも示すように、第一円板状部２も第二円板状部３も常時、固定された状態であるので、例えば、送話器９などは折り畳みにより位置が変わることがなくなるので、当初から適正な位置に設けるなどの小変更が行われるものとなることはいうまでもない。
【図面の簡単な説明】
【００３１】
【図１】本発明に係る携帯電話機の実施形態を使用状態で示す斜視図である。
【図２】同じく本発明に係る携帯電話機の要部である蝶番部を示す説明図である。
【図３】同じく本発明に係る携帯電話機の実施形態を折り畳み状態で示す説明図である。
【図４】同じく本発明に係る携帯電話機を遊具として使用しているときの状態を示す説明図である。
【図５】同じく本発明に係る携帯電話機の別の実施形態を示す説明図である。
【図６】同じく本発明に係る携帯電話機の更に別の実施形態を示す説明図である。
【符号の説明】
【００３２】
１…携帯電話機
２…第一円板状部
３…第二円板状部
４…蝶番部
４ａ…支柱部
４ｂ…板状部材
４ｃ…ヒンジ
５…フラットワイヤ
６…表示部
７…受話器
８…番号入力部
８ａ…押釦
８ｂ…ダイヤル
９…送話器
１０…紐（ストリング）
１１…接合部
【図１】
2006020280.tif 000003
【図２】
2006020280.tif 000004
【図３】
2006020280.tif 000005
【図４】
2006020280.tif 000006
【図５】
2006020280.tif 000007
【図６】
2006020280.tif 000008